【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
LEDチップの領域及び前記LEDチップ間の領域を含む光出力面を備えるLED装置であり、
電源入力を整流するための整流器と、
前記光出力面上に分布しているLEDの第１グループと、
前記光出力面上に、前記LEDの第１グループと直列に分布しているLEDの第２グループとを有するLED装置であって、
整流された前記電源入力の各周期において、前記LEDの第２グループが、前記LEDの第１グループをオンにする第１継続時間より少ない第２継続時間の間、オンにされるように、前記電源入力が第１しきい値未満であるときには、前記LEDの第１グループが、オンにし続けられるよう適応されると共に、前記LEDの第２グループが、バイパスされるよう適応され、前記電源入力が前記第１しきい値を上回るときには、前記LEDの第１グループ及び前記LEDの第２グループが、オンにし続けられるよう適応され、
前記光出力面の単位面積当たりの、前記第２グループの前記LEDの総光出力密度が、前記光出力面の単位面積当たりの、前記第１グループの前記LEDの総光出力密度より大きく、前記光出力面の第２領域であって、前記第２領域全体にわたって前記LEDの第２グループが分布している第２領域に対する前記LEDの第２グループのLEDチップの領域の割合が、前記光出力面の第１領域であって、前記第１領域全体にわたって前記LEDの第１グループが分布している第１領域に対する前記LEDの第１グループのLEDチップの領域の割合より大きいLED装置。
【請求項２】
前記LEDの第１グループと前記LEDの第２グループとが、互いのグループと混じり合わずに、シーケンシャルに分布しており、
前記LED装置が、前記第１グループ及び前記第２グループと直列の、LEDの少なくとも１つの他のグループを更に有し、前記整流された電源入力の各周期において、前記LEDの他のグループが、前記LEDの第２グループをオンにする前記第２継続時間より少ない他の継続時間の間、オンにされるように、前記電源入力が前記第１しきい値未満であるときには、前記LEDの第２及び第３グループが、バイパスされるよう適応され、前記電源入力が、前記第１しきい値を上回り、第２しきい値未満であるときには、前記LEDの第３グループが、バイパスされるよう適応され、前記電源入力が前記第２しきい値を上回るときには、前記LEDの第１グループ、前記LEDの第２グループ及びLEDの少なくとも１つの他のグループが、オンにし続けられるよう適応され、
前記光出力面の単位面積当たりの、前記他のグループ又は各他のグループの前記LEDの総光出力密度が、前記光出力面の単位面積当たりの、前のグループの前記LEDの総光出力密度より大きく、前記光出力面の第３領域であって、前記第３領域全体にわたって前記LEDの第３グループが分布している第３領域に対する前記LEDの第３グループのLEDチップの領域の割合が、前記光出力面の前記第２領域であって、前記第２領域全体にわたって前記LEDの第２グループが分布している前記第２領域に対する前記LEDの第２グループのLEDチップの領域の割合より大きい請求項１に記載のLED装置。
【請求項３】
単位面積当たりの、単位時間当たりの前記第２グループの前記LEDの総光出力量が、単位面積当たりの、単位時間当たりの前記第１グループの前記LEDの総光出力量と実質的に等しいように、前記密度が選択される請求項１に記載のLED装置。
【請求項４】
前記電源入力の整数周期にわたって平均したら、前記光出力面の単位面積当たりの、前記LEDの第２グループ及び任意の他のグループの光出力量が、前記光出力面の単位面積当たりの、前記第１グループの前記LEDの光出力の0.9倍と1.1倍との間、より好ましくは、0.95倍と1.05倍との間である請求項３に記載のLED装置。
【請求項５】
前記第２グループ及び任意の他のグループの前記LEDのLEDチップが、各々、前のグループの前記LEDのLEDチップと比べてより大きいサイズを持ち、前記光出力面の単位面積当たりの、各グループ内のLEDの個数が、同じである請求項１乃至４のいずれか一項に記載のLED装置。
【請求項６】
前記光出力面の単位面積当たりの、前記第２グループ及び任意の他のグループのLEDの個数が、前のグループのLEDの個数より多く、各グループ内のLEDのサイズが、同じである請求項１乃至４のいずれか一項に記載のLED装置。
【請求項７】
前記電源入力が第１しきい値未満であるときには、前記第１グループが、第１電流源装置によって調整され、前記電源入力が前記第１しきい値を上回るときには、前記第１グループ及び第２グループが、第２電流源装置によって調整され、前記第２電流源装置及び任意の他の電流源装置が、前の電流源装置と比べてより大きい電流を駆動する請求項１乃至４のいずれか一項に記載のLED装置。
【請求項８】
前記光出力面の単位面積当たりの、各グループの光出力密度が、所与の電源周期又は整流電源周期の間、前記第１電流源装置及び１つ以上の後の電流源装置によって調整される電流によって駆動されるときの各グループの光出力量における差を補償するよう適応される請求項７に記載のLED装置。
【請求項９】
LEDの各グループが、電流源及び制御スイッチと関連づけられ、前記ドライバが、前記制御スイッチを制御するためのドライバを更に有する請求項１乃至４のいずれか一項に記載のLED装置。
【請求項１０】
前記ドライバが、重なり合わないシーケンスで前記制御スイッチを制御するよう適応される請求項９に記載のLED装置。
【請求項１１】
光出力面と、前記光出面にわたって配置される、請求項１乃至１０のいずれか一項に記載のLED装置とを備える照明装置であって、前記照明装置が、管形ランプであり、前記第１グループと前記第２グループとが、各グループ内の前記LEDが交互配置されることなく、前記管形ランプに沿ってシーケンシャルに配置される照明装置。
【請求項１２】
LEDチップの領域及び前記LEDチップ間の領域を含む光出力面を備えるLED装置を制御する方法であり、整流された電源入力の各周期において、LEDの第２グループが、LEDの第１グループをオンにする第１継続時間より少ない第２継続時間の間、オンにされるように、
電源入力周期のうちの、第１しきい値電圧未満の第１部分の間、前記LEDの第１グループに第１電流を流させ続けるステップと、
前記電源入力周期のうちの、前記第１しきい値電圧を上回る第２部分の間、前記LEDの第２グループ及び前記LEDの第１グループに第２電流を流させ続けるステップとを有する方法であって、
前記光出力面の単位面積当たりの、前記第２グループの前記LEDの総光出力密度が、前記光出力面の単位面積当たりの、前記第１グループの前記LEDの総光出力密度より大きく、前記光出力面の第２領域であって、前記第２領域全体にわたって前記LEDの第２グループが分布している第２領域に対する前記LEDの第２グループのLEDチップの領域の割合が、前記光出力面の第１領域であって、前記第１領域全体にわたって前記LEDの第１グループが分布している第１領域に対する前記LEDの第１グループのLEDチップの領域の割合より大きい方法。
【請求項１３】
前記整流された電源入力の各周期において、LEDの他のグループが、前記LEDの第２グループをオンにする前記第２継続時間より少ない他の継続時間の間、オンにされるように、前記電源入力周期のうちの、他のしきい値電圧を上回る１つ以上の他の部分の間、LEDの関連する他のグループ及びLEDの前のグループに、関連する他の電流を流させ続けるステップを更に有し、
前記光出力面の単位面積当たりの、前記他のグループ又は各他のグループの前記LEDの総光出力密度が、前記光出力面の単位面積当たりの、前記前のグループの前記LEDの総光出力密度より大きく、前記光出力面の他の領域であって、前記他の領域全体にわたって前記LEDの他のグループが分布している他の領域に対する前記LEDの他のグループのLEDチップの領域の割合が、前記光出力面の前の領域であって、前記前の領域全体にわたって前記LEDの前のグループが分布している前の領域に対する前記LEDの前のグループのLEDチップの領域の割合より大きい請求項１２に記載の方法。
【請求項１４】
前記電源入力の整数周期にわたって平均したら、前記光出力面の単位面積当たりの、前記LEDの第２グループ及び任意の他のグループの光出力量が、前記光出力面の単位面積当たりの、前記第１グループの前記LEDの光出力の0.9倍と1.1倍との間、より好ましくは、0.95倍と1.05倍との間である請求項１２に記載の方法。
【請求項１５】
各々がLEDの関連するグループに電流源を結合する制御スイッチを重なり合わないシーケンスで制御するステップを有する請求項１２乃至１４のいずれか一項に記載の方法。